(57)【要約】【課題】  簡易かつ安価な構成で、ピッチング振動を効果的に抑制するパワートレインのマウント装置を提供する。【解決手段】  マウント装置は、支持部１０ｍと、支持部１０ｍから離れて位置する支持部１０ｎとを有し、支持部１０ｍおよび１０ｎ間にある位置を中心に、支持部１０ｍおよび１０ｎが互いに反対方向に変位する振動が生じるリヤディファレンシャルと、リヤディファレンシャルの振動によって変形する弾性ゴム２５および３５を有し、車両本体と、支持部１０ｍおよび１０ｎとの間にそれぞれ配置されるマウント２１および３１とを備える。マウント２１および３１には、弾性ゴム２５および３５の変形に伴って体積が変化し、液体が封入された液室２２および３２がそれぞれ形成されている。マウント装置は、さらに、液室２２と液室３２との間を連通させる配管４１を備える。【選択図】        図３
2006256495.tif 000002
【特許請求の範囲】
【請求項１】
第１の支持部と、前記第１の支持部から離れて位置する第２の支持部とを有し、前記第１および第２の支持部間にある位置を中心に、前記第１および第２の支持部が互いに反対方向に変位する振動が生じるパワートレインと、
前記パワートレインの振動によって変形する弾性部材を有し、車両本体と、前記第１および第２の支持部との間にそれぞれ配置される第１および第２のマウントとを備え、
前記第１および第２のマウントには、前記弾性部材の変形に伴って体積が変化し、液体が封入された第１および第２の液室がそれぞれ形成されており、さらに、
前記第１の液室と前記第２の液室との間を連通させる配管を備える、パワートレインのマウント装置。
【請求項２】
前記パワートレインは、さらに複数の支持部を有し、
車両本体と、前記複数の支持部の各々との間には、液室が形成されたマウントが配置されており、前記配管により前記液室間が連通されている、請求項１に記載のパワートレインのマウント装置。
【発明の詳細な説明】
【技術分野】
【０００１】
この発明は、一般的には、パワートレインのマウント装置に関し、より特定的には、ディファレンシャル（差動装置）のマウント装置に関する。
【背景技術】
【０００２】
従来のパワートレインのマウント装置に関して、たとえば、特開平５−２７２５７２号公報には、中高周波振動に対する吸収性能を高め、アクチュエータの応答性を高めることを目的としたパワーユニットマウント装置が開示されている（特許文献１）。特許文献１に開示されたマウント装置は、自動車のパワーユニットと車体フレームとの間に装着されている。
【０００３】
マウント装置には、非圧縮性の流体が充填された主室および副室が形成されている。主室と副室とは、オリフィスによって連通されている。マウント装置には、さらに、ソレノイド式のアクチュエータが設けられている。アクチュエータは、可動子と、制御装置に接続されたソレノイドコイルとから構成されている。可動子は、制御装置からソレノイドコイルに駆動電流が供給されることによって、パワーユニットの振動を吸収もしくは減衰させるように駆動する。
【特許文献１】特開平５−２７２５７２号公報
【発明の開示】
【発明が解決しようとする課題】
【０００４】
車両に搭載されるディファレンシャルには、車両の前後方向に振動するピッチング振動が発生する。このピッチング振動を効果的に抑制するためには、少なくとも２つのマウントをディファレンシャルに設ける必要がある。しかしながら、アクチュエータ機能を備えるアクティブマウントは高価であるため、特許文献１に開示されているようなマウント装置を複数箇所に設けると、製造コストが増大してしまう。
【０００５】
一方、オリフィスで連通された複数の液室を備える従来の液封マウントでは、オリフィスや液室の諸元を変更することによって、振動に対する減衰力を、特定の周波数領域で向上させることができる。しかしながら、ピッチング振動の周波数が広い範囲に渡って変化する場合、振動を十分に抑制することは難しい。また、弾性ゴムを用いた従来のマウントでは、ゴムに設けるすぐり（隙間）の形状によって、ある程度の特性を調整できる。しかしながら、基本的に、低周波数の振動に対しては低いばね係数となり、高周波数の振動に対しては高いばね係数となるため、要求されるばね特性とは逆になってしまう。このため、ピッチング振動を十分に抑制することは難しい。
【０００６】
そこでこの発明の目的は、上記の課題を解決することであり、簡易かつ安価な構成で、ピッチング振動を効果的に抑制するパワートレインのマウント装置を提供することである。
【課題を解決するための手段】
【０００７】
この発明に従ったパワートレインのマウント装置は、第１の支持部と、第１の支持部から離れて位置する第２の支持部とを有し、第１および第２の支持部間にある位置を中心に、第１および第２の支持部が互いに反対方向に変位する振動が生じるパワートレインと、パワートレインの振動によって変形する弾性部材を有し、車両本体と、第１および第２の支持部との間にそれぞれ配置される第１および第２のマウントとを備える。第１および第２のマウントには、弾性部材の変形に伴って体積が変化し、液体が封入された第１および第２の液室がそれぞれ形成されている。パワートレインのマウント装置は、さらに、第１の液室と第２の液室との間を連通させる配管を備える。
【０００８】
このように構成されたパワートレインのマウント装置によれば、パワートレインの振動時、第１および第２のマウントのそれぞれにおいて、第１および第２の液室の体積が変化する。これに伴い、各液室内の液体が圧縮され、第１および第２のマウントからパワートレインに対して、第１および第２の支持部の変位を妨げる方向の力が作用する。この際、第１および第２の支持部の変位量に差があると、適当な量の液体が、配管を通って一方の液室から他方の液室へと移動する。このため、第１および第２の支持部間にある振動の中心位置が絶えず変化し続けても、第１および第２の支持部に適当なバランスで力を作用させ続けることができる。したがって、本発明によれば、液室が形成されたマウントおよび液室間を連通させる配管という簡易かつ安価な構成で、パワートレインの振動を効果的に抑制することができる。
【０００９】
また好ましくは、パワートレインは、さらに複数の支持部を有する。車両本体と、複数の支持部の各々との間には、液室が形成されたマウントが配置されており、配管により液室間が連通されている。このように構成されたパワートレインのマウント装置によれば、より多くの支持部に変位を妨げる方向の力を作用させることができるため、パワートレインの振動をさらに効果的に抑制することができる。
【発明の効果】
【００１０】
以上説明したように、この発明に従えば、簡易かつ安価な構成で、ピッチング振動を効果的に抑制するパワートレインのマウント装置を提供することができる。
【発明を実施するための最良の形態】
【００１１】
この発明の実施の形態について、図面を参照して説明する。
【００１２】
図１は、この発明の実施の形態におけるディファレンシャルのマウント装置を示す斜視図である。図中には、ＦＲ（front engine rear wheel drive）車の後輪駆動軸に設けられたリヤディファレンシャルが示されている。
【００１３】
図１を参照して、リヤディファレンシャル１０には、矢印１０１に示す車両の前後方向に延びるプロペラシャフト１２と、後輪が設けられ、車両の左右方向に延びるリヤドライブシャフト１３とが連結されている。リヤディファレンシャル１０は、プロペラシャフト１２が連結された位置の直後に設けられた支持部１０ｍと、リヤディファレンシャル１０の後端に設けられた支持部１０ｎとを有する。支持部１０ｍと支持部１０ｎとは、車両の前後方向に離れている。リヤドライブシャフト１３は、支持部１０ｍと支持部１０ｎとの間で、リヤディファレンシャル１０に連結されている。
【００１４】
支持部１０ｍは、マウント２１を介して、車両本体側のマウントブラケット１７に取り付けられている。支持部１０ｎは、マウント３１を介して、車両本体側のサスペンションメンバ１６に取り付けられている。マウント２１は、支持部１０ｍに対して鉛直下方向に配置されており、マウント３１は、支持部１０ｎに対して鉛直上方向に配置されている。つまり、マウント２１および３１は、鉛直方向において、リヤディファレンシャル１０を中心に互いに反対側に位置するように配置されている。
【００１５】
図２は、図１中のＩＩ−ＩＩ線上に沿ったマウント装置の側面図である。図３は、図１中のマウントを拡大して示す断面図である。図２および図３を参照して、マウント２１は、支持部１０ｍに固定された頂部２４と、頂部２４と離れて位置し、マウントブラケット１７に固定された底部２３と、頂部２４と底部２３との間で筒状に延び、両者を接続する弾性ゴム２５とを有する。弾性ゴム２５は、頂部２４から底部２３に向かうに従って拡径するように形成されている。弾性ゴム２５は、頂部２４と底部２３との間の距離が変化するように、伸縮自在に設けられている。
【００１６】
マウント２１には、頂部２４、弾性ゴム２５および底部２３に囲まれて液室２２が形成されている。液室２２は、弾性ゴム２５の伸縮に伴って体積が増減するように形成されている。液室２２は、複数の部屋に区画されずに、１つの部屋から構成されている。つまり、本実施の形態では、液室２２内に隔壁が設けられていない。液室２２には、たとえば、シリコン油、水もしくはアルキレングリコールなどの非圧縮性の液体が充填されている。
【００１７】
マウント３１は、マウント２１と同様の形状に形成されており、マウント２１の頂部２４、底部２３および弾性ゴム２５に対応して、サスペンションメンバ１６に固定された頂部３４と、支持部１０ｎに固定された底部３３と、頂部３４と底部３３との接続する弾性ゴム３５とを有する。
【００１８】
本実施の形態におけるマウント装置には、さらに、底部２３と底部３３との間で延びる配管４１が設けられている。配管４１によって、液室２２と液室３２との間が連通している。
【００１９】
図４は、図１中のリヤディファレンシャルで発生するピッチング振動の様子を模式的に表わした図である。図２から図４を参照して、車両が走行すると、プロペラシャフト１２から入力された力に対してリヤディファレンシャル１０で反力が生じるため、ピッチング振動が発生する。このピッチング振動は、リヤディファレンシャル１０が、支持部１０ｍと支持部１０ｎとの間にある位置２００を中心にシーソーように揺れる振動である。ピッチング振動は、車両の発進時や加減速時に特に大きくなり、車両の振動、騒音を増大させる大きな原因となっている。
【００２０】
ピッチング振動が発生すると、ある瞬間、支持部１０ｍは鉛直下方向に変位しようとし、支持部１０ｎは鉛直上方向に変位しようとする。つまり、支持部１０ｍおよび１０ｎは、鉛直方向において互いに反対方向に微小に変位しようとする。このとき、弾性ゴム２５および３５が縮み、液室２２および３２の体積が減少する。これにより、液室２２および３２内の液体が圧縮され、支持部１０ｍおよび１０ｎの変位方向とは反対方向の力が、支持部１０ｍおよび１０ｎに作用する。
【００２１】
一方、ピッチング振動の振動中心である位置２００は、速度、進行方向、路面の状態等に挙げられる車両の走行状況により、刻々と変化する。このため、ピッチング振動によって生じる支持部１０ｍおよび１０ｎの変位量も、位置２００に対応して常に変化し続ける。つまり、位置２００が車両前方に寄れば、支持部１０ｍの変位量が小さくなり、支持部１０ｎの変位量が大きくなる。また、位置２００が車両後方に寄れば、支持部１０ｍの変位量が大きくなり、支持部１０ｎの変位量が小さくなる。このように支持部１０ｍおよび１０ｎの変位量に差が生じると、支持部１０ｍおよび１０ｎが変位した時の液室２２および３２の体積にも差が生じる。これにより、変位量が大きい側では液体の圧縮率が大きくなるため、支持部に作用する力が増大し、変位量が小さい側では液体の圧縮率が小さくなるため、支持部に作用する力が減少してしまう。
【００２２】
これに対して、本実施の形態では、液室２２と液室３２との間を連通させる配管４１が設けられている。たとえば、図４中に示すように、位置２００が車両後方に寄った瞬間を想定すると、液室２２の流体は、配管４１を通って液室３２に流れ込む。これにより、変位量が小さい支持部１０ｎで、マウント３１から受ける力を増大させることができ、変位量が大きい支持部１０ｍで、マウント２１から受ける力を減少させることができる。したがって、本実施の形態によれば、支持部１０ｍおよび１０ｎに適当なバランスで力を作用させ続けることができる。
【００２３】
この発明の実施の形態におけるパワートレインのマウント装置は、第１の支持部としての支持部１０ｍと、支持部１０ｍから離れて位置する第２の支持部としての支持部１０ｎとを有し、支持部１０ｍおよび１０ｎ間にある位置２００を中心に、支持部１０ｍおよび１０ｎが互いに反対方向に変位する振動が生じるパワートレインとしてのリヤディファレンシャル１０と、リヤディファレンシャル１０の振動によって変形する弾性部材としての弾性ゴム２５および３５を有し、車両本体と、支持部１０ｍおよび１０ｎとの間にそれぞれ配置される第１および第２のマウントとしてのマウント２１および３１とを備える。マウント２１および３１には、弾性ゴム２５および３５の変形に伴って体積が変化し、液体が封入された第１および第２の液室としての液室２２および３２がそれぞれ形成されている。パワートレインのマウント装置は、さらに、液室２２と液室３２との間を連通させる配管４１を備える。
【００２４】
このように構成された、この発明の実施の形態におけるパワートレインのマウント装置によれば、ソレノイド式のアクチュエータ等を用いることなく、リヤディファレンシャル１０で発生するピッチング振動を効果的に抑制することができる。これにより、車両の騒音や振動を低減させ、搭乗時の快適性を向上させることができる。
【００２５】
なお、リヤディファレンシャル１０が並行に上下するバウンス振動に対しては、配管４１にオリフィスを追加することによって、好適にバウンス振動を抑制することが可能となる。また、本実施の形態では、車両の前後方向に１つずつマウントを設けたが、たとえば、車両の前方側にマウントを２つ配置し、車両の後方側にマウントを１つ配置する３点支持構造や、車両の前方側および後方側に、マウントを２つずつ配置する４点支持構造に、本発明を適用しても良い。また、本発明が適用されるパワートレインは、ディファレンシャルに限定されず、たとえば、プロペラシャフトやトランスファ、トランスミッションであっても良い。
【００２６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００２７】
【図１】この発明の実施の形態におけるディファレンシャルのマウント装置を示す斜視図である。
【図２】図１中のＩＩ−ＩＩ線上に沿ったマウント装置の側面図である。
【図３】図１中のマウントを拡大して示す断面図である。
【図４】図１中のリヤディファレンシャルで発生するピッチング振動の様子を模式的に表わした図である。
【符号の説明】
【００２８】
１０  リヤディファレンシャル、１０ｍ，１０ｎ  支持部、２１，３１  マウント、２２，３２  液室、２５，３５  弾性ゴム、４１  配管、２００  位置。
【図１】
2006256495.tif 000003
【図２】
2006256495.tif 000004
【図３】
2006256495.tif 000005
【図４】
2006256495.tif 000006